(57)【要約】【課題】過大な曲げモーメントおよびせん断力に抵抗でき、経済的で施工性がよい合成床版の構造および施工方法を提案すること【解決手段】底鋼板と該底鋼板上に打設したコンクリートとからなる鋼・コンクリートの合成床版において、該底鋼板の少なくとも一方向の両端部にハンチ部を設けると共に、該底鋼板の下に端部が桁上に載置できる該底鋼板の補強部材を設ける。補強部材は形鋼とし、これをハンチ部を貫通して設けることが好ましい。【選択図】  図１
2005273185.tif 000002
【特許請求の範囲】
【請求項１】
底鋼板と該底鋼板上に打設したコンクリートとからなる鋼・コンクリートの合成床版であって、該合成床版が少なくとも一方向の両端部にハンチ部を有し、かつ該ハンチ部にも底鋼板を有し、かつ、該底鋼板の下に端部が桁上に載置できる該底鋼板の補強部材を有することを特徴とする鋼・コンクリートの合成床版。
【請求項２】
前記補強部材が、前記ハンチ部を貫通していることを特徴とする請求項１記載の鋼・コンクリートの合成床版。
【請求項３】
前記補強部材が形鋼であることを特徴とする請求項１または２記載の鋼・コンクリートの合成床版。
【請求項４】
前記底鋼板上に更に他の補強部材がコンクリート中に埋設して配設されていることを特徴とする請求項１〜３のいずれかに記載の鋼・コンクリートの合成床版。
【請求項５】
前記他の補強部材が形鋼であることを特徴とする請求項４記載の鋼・コンクリートの合成床版。
【請求項６】
前記他の補強部材が底鋼板とコンクリートとのずれ止めのための手段を有していることを特徴とする請求項４または５記載の鋼・コンクリートの合成床版。
【請求項７】
前記底鋼板下の補強部材と前記底鋼板上の補強部材がいずれも形鋼であって、両者がクロスする関係に配置されていることを特徴とする請求項４〜６のいずれかに記載の鋼・コンクリートの合成床版。
【請求項８】
前記合成床版が水平２方向にハンチ部を有する２方向性の合成床版であることを特徴とする請求項１〜７のいずれかに記載の鋼・コンクリートの合成床版。
【請求項９】
前記底鋼板のハンチ部が、鋼板の両端部を曲げ加工することによって形成されていることを特徴とする請求項１〜８のいずれかに記載の鋼・コンクリートの合成床版。
【請求項１０】
前記ハンチ部を有する底鋼板がパネル組み立て式の底鋼板であることを特徴とする請求項１〜８のいずれかに記載の鋼・コンクリートの合成床版。
【請求項１１】
折曲げ加工によって形成されたハンチ部と、該ハンチ部に形成した補強部材貫通用の切り欠きとを有する底鋼板の、該切り欠きに補強部材を挿通させたのち、底鋼板と補強部材とを接合し、これを桁上に載置し、次いで、該底鋼板上にコンクリートを打設して合成床版を製造することを特徴とする鋼・コンクリートの合成床版の施工方法。
【請求項１２】
複数のパネルを組み立てることによって形成された、ハンチ部と、該ハンチ部にある補強部材貫通用の切り欠きとを有する底鋼板の、該切り欠きに補強部材を挿通させたのち、底鋼板と補強部材とを接合し、これを桁上に載置し、次いで、該底鋼板上にコンクリートを打設して合成床版を製造することを特徴とする鋼・コンクリートの合成床版の施工方法。
【発明の詳細な説明】
【技術分野】
【０００１】
本発明は、橋梁その他構造物に用いられる底鋼板と該底鋼板上に打設したコンクリートとから成る合成床版に関するものである。
【背景技術】
【０００２】
従来から、道路橋等における道路を形成するために、形鋼とコンクリートとから成る合成床版が用いられている。そして、この床版の上を自動車等の重量物が通過するために、床版には曲げ応力やせん断力がかかり、ひび割れ、コンクリートの剥落等の破損が生じる。
【０００３】
このような床版の破損を防ぐために従来から種々の改良がなされている。
特許文献１に記載のものは、床版に作用する曲げ応力分布に合理的に適応し、かつ製作が容易な合成床版を提供することを目的として、側面から見てＴ字状に切削形成されているとともに、ウェブの縁端に波形または、台形状の凸凹部が形成されているＣＴ形鋼を逆Ｔ字状にして間隔をおいて複数配置し、互いに交叉して組み込まれた配力筋を上方から落とし込んで前記ＣＴ形鋼の間及びウェブの凹部に配設し、ＣＴ形鋼と配力筋が埋設されるようにしてコンクリートを打設して床版としたものである（図１９参照）。また、この文献には床版にハンチ部を設けることも記載されている。
【０００４】
特許文献２に記載のものは、Ｔ形鋼のウェブの下端面にわたって鋼板を溶接することの信頼性の欠如、圧延時に突起物をその上フランジに設けたＣＴ形鋼の入手困難性、桁高を高くすることによる開断面鋼桁の重量の増加を解決することを目的とするものであり、上フランジにボルト挿通用孔を有するＨ形鋼を所要間隔に並列配置し、各Ｈ形鋼の下フランジの下端面間にわたって底鋼板をトルシア型高力ボルトで接合し、かつ隣接する上フランジ下面に長手方向に所要間隔で配置した山形鋼を、ボルト挿通用孔の上面より挿通した軸部の長い高力ボルトを用いて上フランジ下面よりナットで締め付け固定して並列開断面鋼桁を形成し、かつ上フランジの上面よりも上部位置に上主鉄筋を配置し、前記開断面鋼桁を共通の支保工並びに型枠として、底鋼板の上面から、前記上主鉄筋の上方位置までコンクリートを打設して床版としたものである（図２０参照）。
【０００５】
特許文献３〜７には、鉄骨（ＣＴ形鋼、Ｈ形鋼、Ｉ形鋼等）及び鉄筋をコンクリート中に埋め込んでなる合成床版が記載されており（図２１〜２５参照）、特許文献３にはハンチ部を設けることが、特許文献４〜７には鉄骨等にずれ止め機能を持たせることがそれぞれ記載されている。
【０００６】
【特許文献１】特開平８−１７０３１１号公報
【特許文献２】特開２００１−１８２０１５号公報
【特許文献３】特開昭６２−２１９１０号公報
【特許文献４】特開２００１−８１７２４号公報
【特許文献５】特開２００１−８１７２９号公報
【特許文献６】特開２００３−１３４１０号公報
【特許文献７】特開２００２−３０９５１５号公報
【発明の開示】
【発明が解決しようとする課題】
【０００７】
ところが、上記した従来の合成床版では、次に記載するような問題がある。
（１）底鋼板上に補強部材があるため、コンクリート断面の連続性が損なわれる。すなわち、コンクリート中に補強部材を埋設することは、コンクリート断面に切り欠きを入れるのに等しく、この結果、連続性のある断面を有するものよりも耐力が小さくなる。
（２）補強部材の高さ以上の床版厚が必要であるため、要求性能に対して必要な床版厚よりも過大な床版厚となり、その結果、床版重量が大きくなり不経済である。
（３）床版コンクリート部の剛性の均一性が損なわれ、コンクリートにひび割れが生じ易い。
（４）前記特許文献１に記載のものにおいて、床版にハンチ部を有する構造とし、かつ現場でコンクリートを打設する場合、鋼桁に鋼材を設置する際、桁と補強部材との間に高さ保持用の部材が別途必要となる。
（５）前記特許文献２に記載の構造では、床版にハンチ部を設けるような場合には対応できない。
【０００８】
本発明は、上記のような問題点を解決するために成されたもので、過大な曲げモーメントおよびせん断力に抵抗でき、場所打ちコンクリート硬化前も底鋼板と補強部材とでコンクリート重量等の前死荷重に耐え、しかも経済的で施工性がよい合成床版の構造および施工方法を提案することを目的とする。
【課題を解決するための手段】
【０００９】
上記課題を解決するために本発明は次に記載するような構成を有する。
（１）底鋼板と該底鋼板上に打設したコンクリートとからなる鋼・コンクリートの合成床版であって、該合成床版が少なくとも一方向の両端部にハンチ部を有し、かつ該ハンチ部にも底鋼板を有し、かつ、該底鋼板の下に端部が桁上に載置できる該底鋼板の補強部材を有することを特徴とする鋼・コンクリートの合成床版。
（２）前記補強部材が、前記ハンチ部を貫通していることを特徴とする上記（１）の鋼・コンクリートの合成床版。
（３）前記補強部材が形鋼であることを特徴とする上記（１）、（２）の鋼・コンクリートの合成床版。
（４）前記底鋼板上に更に他の補強部材がコンクリート中に埋設して配設されていることを特徴とする上記（１）〜（３）の鋼・コンクリートの合成床版。
（５）前記他の補強部材が形鋼であることを特徴とする上記（４）の鋼・コンクリートの合成床版。
【００１０】
（６）前記他の補強部材が底鋼板とコンクリートとのずれ止め機能を有していることを特徴とする上記（４）、（５）の鋼・コンクリートの合成床版。
（７）前記底鋼板下の補強部材と前記底鋼板上の補強部材がいずれも形鋼であって、両者がクロスする関係に配置されていることを特徴とする上記（４）〜（６）の鋼・コンクリートの合成床版。
（８）前記合成床版が水平２方向にハンチ部を有する２方向性の合成床版であることを特徴とする上記（１）〜（７）の鋼・コンクリートの合成床版。
（９）前記底鋼板のハンチ部が、鋼板の両端部を曲げ加工することによって形成されていることを特徴とする上記（１）〜（８）の鋼・コンクリートの合成床版。
（１０）前記ハンチ部を有する底鋼板がパネル組み立て式の底鋼板であることを特徴とする上記（１）〜（８）の鋼・コンクリートの合成床版。
（１１）折曲げ加工によって形成されたハンチ部と、該ハンチ部に形成した補強部材貫通用の切り欠きとを有する底鋼板の、該切り欠きに補強部材を挿通させたのち、底鋼板と補強部材とを接合し、これを桁上に載置し、次いで、該底鋼板上にコンクリートを打設して合成床版を製造することを特徴とする鋼・コンクリートの合成床版の施工方法。
（１２）複数のパネルを組み立てることによって形成された、ハンチ部と、該ハンチ部にある補強部材貫通用の切り欠きとを有する底鋼板の、該切り欠きに補強部材を挿通させたのち、底鋼板と補強部材とを接合し、これを桁上に載置し、次いで、該底鋼板上にコンクリートを打設して合成床版を製造することを特徴とする鋼・コンクリートの合成床版の施工方法。
なお、本発明における鋼・コンクリートの合成床版とは、コンクリートが鉄筋コンクリートである場合も含む。
【発明の効果】
【００１１】
本発明の効果を以下に示す。
１）コンクリート断面の連続性および均一性が保持されることによってコンクリートひび割れが生じにくく、しかもハンチ構造に適した合成床版を提供できる。
２）コンクリート量を増加させずに過大な曲げモーメントおよびせん断力に抵抗でき、場所打ちコンクリート硬化前も底鋼板と補強部材とでコンクリート重量等の前死荷重に耐え、しかも経済的で施工性がよい合成床版、およびその施工方法を提供できる。
３）補強部材が直接桁上に設置され、高さ保持も兼ねるため、別途、床版の高さ保持用の部材を設ける必要がない。
４）前記構造に加え、従来の合成床版と同様に底鋼板の上にも補強部材を設置することによって、より大きな抵抗曲げモーメントおよび抵抗せん断力を得ることができる。
【００１２】
５）補強部材に形鋼を用いることによって、鋼材の加工度が減少し、コスト縮減が可能となる。
６）底鋼板の上の補強部材に、突起や開孔によって、ずれ止め機能を付加させれば、コンクリートと底鋼板との一体性が高まり、より抵抗曲げモーメントを高めることが出来る。
７）底鋼板上の補強部材を底鋼板下の補強部材に対して水平直角方向に設置することによって、２方向に高い抵抗曲げモーメントおよび抵抗せん断力を有する合成床版を得ることが出来る。
８）本発明は、２方向にハンチを有する構造にも、適用が可能である。
９）底鋼板をパネル組み立て式にすることによって、資材の運搬性が向上し、大型鋼材の曲げ加工ができない工場においても製作可能な供給性の高い構造となる。
１０）上方からの部材落とし込みのみで施工可能なパネル組み立て構造を採用することにより、施工性の高い、すなわち急速施工が可能な合成床版を提供することができる。
【発明を実施するための最良の形態】
【００１３】
本発明の詳細を図面に基づいて説明する。
図１は本発明の合成床版の一例を示す図であり、この合成床版は、底鋼板１，底鋼板上に打設されたコンクリート３、底鋼板１の下に設けられ、その端部が桁Ｂ上に載置できるようになっている補強部材２ａから構成されている。この例においては、補強材２ａは底鋼板１の下のみに設けられており、その端部は底鋼板のハンチ部を貫通していない。
図１の円で囲った補強部材の端部の構造は、図１の（ａ）、（ｂ）又は（ｃ）で示したような構造であってもよい。
図２は本発明合成床版の底鋼板１の一例を示すものであり、この底鋼板１は、曲げ加工を施した底鋼板ハンチ部１ａ、底鋼板桁設置部１ｃ及び補強部材貫通用の切り欠き１ｂを有している。この例では、補強部材はこの補強部材貫通用の切り欠き１ｂに挿通され、次いでボルト接合又は溶接によって底鋼板１に一体化される。
【００１４】
図３および図４は、本発明の合成床版Ｄの一態様（実施形態１）を示すものであり、コンクリート打設前後の合成床版Ｄの状態を示している。
工場で予め、底鋼板１に底鋼板ハンチ部１ａの折曲げ加工を施すと共に補強部材貫通用の切り欠き１ｃを設けておき、この底鋼板１に設けた切り欠き１ｃに、複数本の補強部材２ａを挿通させることによって底鋼板１の曲げ剛性を高めたうえで、桁Ｂ上に底鋼板１を設置する。底鋼板１と、底鋼板１よりも下の補強部材２ａとは、ボルト接合あるいは溶接によって一体化させる。次いで底鋼板上１に場所打ちコンクリート３を打設する。
【００１５】
上記のような構成とすることで、コンクリート断面の連続性および均一性が保持され、コンクリートひび割れが生じにくく、しかもハンチ構造に適した合成床版を提供することができる。また、コンクリート量を増加させずに過大な曲げモーメントおよびせん断力に抵抗でき、場所打ちコンクリート硬化前も底鋼板と補強部材とでコンクリート重量等の前死荷重に耐え、しかも経済的で施工性がよい合成床版、およびその施工方法を提供できる。そして、補強部材が直接桁上に設置され、高さ保持も兼ねるため、別途、床版の高さ保持用の部材が必要ない。
また、補強部材に形鋼を用いることによって、鋼材の加工度が減少し、コスト縮減が可能となる。
【００１６】
さらに、前記構造に加え、従来の合成床版と同様に底鋼板の上にも補強部材を設置することによって、より大きな抵抗曲げモーメントおよび抵抗せん断力を得ることができる。
そして、底鋼板の上の補強部材にも形鋼を用いれば、前記底鋼板下の補強部材の場合と同様に経済性が高まる。また、底鋼板の上の補強部材に、突起や開孔によって、ずれ止め機能を付加させれば、コンクリートと底鋼板との一体性が高まり、より抵抗曲げモーメントを高めることが出来る。ただし、この場合、前述したように、コンクリート断面の連続性および均一性が損なわれることに留意する必要がある。
【００１７】
図５および図６は、本発明の合成床版Ｄの他の態様（実施形態２）を示すものであり、底鋼板の上にも補強部材を設置した例である。図５はコンクリート打設前の状態を示し、図６はコンクリート打設して得た合成床版Ｄの状態を示したものである。図示したものは、より大きな抵抗曲げモーメントおよび抵抗せん断力を得ることができるように、底鋼板１の上にも補強部材２ｂを、補強部材２ａと同方向に設置したものである。このとき、底鋼板１と底鋼板上の補強部材２ｂとはボルト接合あるいは溶接によって一体化させる。
【００１８】
また、底鋼板上の補強部材を底鋼板下の補強部材に対して水平直角方向に設置することによって、２方向に高い抵抗曲げモーメントおよび抵抗せん断力を有する合成床版を得ることが出来る。これは、２方向にハンチを有する構造にも、適用が可能である。
図７および図８は、本発明の合成床版Ｄの他の態様（実施形態３）を示すものであり、底鋼板１の上に補強部材２ｂを底鋼板下の補強部材２ａに対して水平直角方向に設置したものである。図７はコンクリート打設前の状態を、図８はコンクリート打設して得られた合成床版Ｄの状態を示したものであり、これによって、２方向に高い抵抗曲げモーメントおよび抵抗せん断力を有する合成床版Ｄが得られる。
【００１９】
底鋼板をパネル組み立て式にすることによって、資材の運搬性が向上し、大型鋼材の曲げ加工ができない工場においても製作可能な供給性の高い構造となる。
図９は、本発明の合成床版Ｄの底鋼板１をパネル組み立て式とした例を示すものである。パネル組み立て式底鋼板は一般部４とハンチ部５とから構成されており、ハンチ部５を形成する部材間の間隙が補強部材を挿通するための隙間を形成している。
【００２０】
また、上方からの部材落とし込みのみで施工可能なパネル組み立て構造を採用することにより、施工性の高い、すなわち急速施工が可能な合成床版を提供することができる。
図１０の（ａ）は、上方からの部材落とし込みのみで施工可能としたパネル組み立て式合成床版の底鋼板下の補強部材構造を示したものである。この補強部材２ａは、ハンチ部５に対応する底鋼板下の部分の上フランジが切削除去されており、この補強部材２ａに底鋼板の一般部４及びハンチ部５を落とし込むことによって組み立てられる。
【００２１】
図１１は、鋼部材のパネル組み立て例を示す図である。
図１１（ａ）は溶接を用いて各パネルを組み立てた例を示すものである。図１１（ｂ）及び図１１（ｃ）はパネルの組み立てにボルト接合を用いた例を示すものであり、図１１（ｂ）はハンチ部にボルトを設け、一般部にボルト孔を設けた例を示したものであり、図１１（ｃ）は一般部にボルトを設け、ハンチ部にボルト孔を設けた例を示したものである。
【００２２】
図１２は、底鋼板が２方向にハンチ部を有するようにしたものをパネルを用いて組み立てる例を示す図である。この例では、パネルＡ，Ａ′の上端部とパネルＡの側端部にボルトのネジ部を立設接合し、Ａ′の側端部と一般部Ｂの端部とにボルト孔を設けている。パネルＡ、Ａ′の上端部のハッチングで示した部分は突き合わせ部であり、組み立て時に重なる部分においては一方の重なり部Ｘを切除して用いる。組み立ては、Ｂのボルト孔にパネルＡ及びＡ′の上端部に設けたボルトを挿通すると共に、パネルＡ側端部に設けたボルトとパネルＡ′の側端部のボルト孔に挿通したボルトとを添接板Ｃのボルト孔に挿通し、ナットで締付けて固定し接合する。
【００２３】
図１３は、他の接合例を示すものであり、図１３（ａ）に示すようにハンチ部を形成するパネルＡ、Ａ′の側端部にボルト孔を設け、同じくボルト孔を設けた添接板Ｃを用いて、図１３（ｂ）に示すように、ボルト孔にボルトを挿通してナットで締め付けてボルト接合する。
図１３（ａ）のパネルＡとＡ′との接合部は、図１２に示した例のようにパネルＡ，Ａ′同士の重なる部分を切除することなく、図１３（ｃ）に示すようにパネルＡ′にフィラーＹを設けておき、パネルＡとＡ′の端部同士を上下に重ねることによって生じるパネルＡ′とパネルＢとの間の隙間をフィラープレートＹで埋めるようにしても良い。
また、図１３（ａ）の○で囲った部分は図１３（ｄ）に示すような構造としてもよい。なお、図１３（ｄ）に示す構造は、図１２に示したものの同じ位置においても適用できる。
【００２４】
図１４は、パネルＡとパネルＡ′との接合部において、両パネルの間にボルト孔を設けた添接板Ｃを介在させてボルト接合する例を示したものである。
これにより、パネルＡをパネルＢの下方から、かつ、パネルＡ′をパネルＢの上方から取り付ける組合せとすることで、一方向ずつ確実に精度を確保して施工でき、Ａ−Ａ′間の継手形成が確実に実現できる。また、ハンチ角度θが大きい場合でも，パネルＡ′のボルト孔を長孔にすることにより、Ａ−Ａ′間の継手形成が確実に実現できる。
【００２５】
図１５〜図１８に他の組み立て例を示す。
図１５に示したものは、パネルＡ及びパネルＡ′をパネルＢの下方から取付ける組合せであり、パネルＡ，Ａ′の継手線が一致する。添接板Ｃの折れ角度αが大きいため、パネルＡ′側の添接板Ｃの孔サイズを大きくしている。
図１６に示したものは、図１２に示したものと同様に、パネルＡ′の上部折れ曲げ部の端部を切り欠いてパネルＡ，Ａ′の継手線を一致させたものであるが、添接板Ｃの折れ角度αが大きいため場合、パネルＡ′側の添接板Ｃの孔サイズを大きくしている。
【００２６】
図１７に示したものは、パネルＡをＢの下方から、かつＡ′をＡの下方から取付ける組合せであり、図１３に示したものと同様に、フィラープレートを用いている。但し、フィラープレートをパネルＡ′の上部折れ曲がり部に沿って全長にわたって取り付ける点が図１３のものと異なる。また、添接板Ｃの折れ角度αが大きいため、パネルＡ′側の添接板Ｃの孔サイズを大きくしている。
【００２７】
図１８に示したものは、パネルＡをパネルＢの下方から、かつ、パネルＡ′をパネルＢの上方から取り付ける組合せであり、図１４に示したものと同様であるが、ハンチ角度θが大きいため、パネルＡ′側の孔サイズを大きくしている。
なお、上記した例はパネルにボルト軸を接合した例を示したが、これに代えて図１３（ｂ）に示したようにボルトとナットを用いて接合しても良い。
【実施例】
【００２８】
本実施の形態に係る合成床版の諸元については、桁間隔、支点間隔、および荷重の規模等に応じて種々異なるが、図３〜図４の実施形態１の構成における寸法の一例を示せば、次の通りである。
底鋼板の板厚は８ｍｍ、コンクリート部の板厚は３００ｍｍ、ハンチ高さは１５０ｍｍ、ハンチの角度は鉛直方向１に対し水平方向３、桁間隔は６ｍ、補強部材はＨ形鋼で、その寸法は１５０ｍｍ×１５０ｍｍ×７ｍｍ×１０ｍｍである。図５〜図８の実施形態２および実施形態３の場合、底鋼板上に設置する補強部材はＨ形鋼で、その寸法は１５０ｍｍ×１５０ｍｍ×７ｍｍ×１０ｍｍである。
【産業上の利用可能性】
【００２９】
本発明の合成床版は、過大な曲げモーメントおよびせん断力に抵抗でき、場所打ちコンクリート硬化前も底鋼板と補強部材とでコンクリート重量等の前死荷重に耐え、しかも経済的で施工性がよいので、橋梁等の構造物の床版として利用できる。
【図面の簡単な説明】
【００３０】
【図１】本発明の合成床版（底鋼板未貫通タイプ）を示す図である。
【図２】本発明の合成床版の底鋼板の一例を示す図である。
【図３】本発明の実施形態１の合成床版のコンクリート打設前の状態を示す図である。
【図４】本発明の実施形態１の合成床版のコンクリート打設後の状態を示す図である。
【図５】本発明の実施形態２の合成床版のコンクリート打設前の状態を示す図である。
【図６】本発明の実施形態２の合成床版のコンクリート打設後の状態を示す図である。
【図７】本発明の実施形態３の合成床版のコンクリート打設前の状態を示す図である。
【図８】本発明の実施形態３の合成床版のコンクリート打設後の状態を示す図である。
【図９】本発明の合成床版のパネル組み立て式底鋼板を示す図である。
【図１０】上方からの部材落とし込みのみで施工可能なパネル組み立て式合成床版の底鋼板下の補強部材構造を示す図である。
【図１１】鋼部材のパネル組み立て例を示す図である。
【図１２】鋼部材のパネル組み立て例を示す図である。
【図１３】鋼部材のパネル組み立て例を示す図である。
【図１４】鋼部材のパネル組み立て例を示す図である。
【図１５】鋼部材のパネル組み立て例を示す図である。
【図１６】鋼部材のパネル組み立て例を示す図である。
【図１７】鋼部材のパネル組み立て例を示す図である。
【図１８】鋼部材のパネル組み立て例を示す図である。
【図１９】特開平８−１７０３１１号公報の合成床版の概略図である。
【図２０】特開２００１−１８２０１５号公報の合成床版橋の概略図である。
【図２１】特開昭６２−２１９１０号公報の合成床版の概略図である。
【図２２】特開２００１−８１７２４号公報の合成床版の概略図である。
【図２３】特開２００１−８１７２９号公報の合成床版の概略図である。
【図２４】特開２００３−１３４１０号公報の合成床版の概略図である。
【図２５】特開２００２−３０９５１５号公報の合成床版の概略図である。
【符号の説明】
【００３１】
（図１〜１０について）
Ｄ  合成床版
Ｂ  桁
１  底鋼板
１ａ  底鋼板ハンチ部
１ｂ  補強部材貫通用の切り欠き
１ｃ  底鋼板桁設置部
２ａ  底鋼板下の補強部材
２ｂ  底鋼板上の補強部材
３  コンクリート
４  パネル組み立て式底鋼板の一般部
５  パネル組み立て式底鋼板のハンチ部
（図１１〜１８について）
Ａ  パネル（ハンチ部）
Ａ′パネル（ハンチ部）
Ｂ  パネル（一般部）
Ｃ  添接板
θ  ハンチ角度
【図１】
2005273185.tif 000003
【図２】
2005273185.tif 000004
【図３】
2005273185.tif 000005
【図４】
2005273185.tif 000006
【図５】
2005273185.tif 000007
【図６】
2005273185.tif 000008
【図７】
2005273185.tif 000009
【図８】
2005273185.tif 000010
【図９】
2005273185.tif 000011
【図１０】
2005273185.tif 000012
【図１１】
2005273185.tif 000013
【図１２】
2005273185.tif 000014
【図１３】
2005273185.tif 000015
【図１４】
2005273185.tif 000016
【図１５】
2005273185.tif 000017
【図１６】
2005273185.tif 000018
【図１７】
2005273185.tif 000019
【図１８】
2005273185.tif 000020
【図１９】
2005273185.tif 000021
【図２０】
2005273185.tif 000022
【図２１】
2005273185.tif 000023
【図２２】
2005273185.tif 000024
【図２３】
2005273185.tif 000025
【図２４】
2005273185.tif 000026
【図２５】
2005273185.tif 000027